(57)【要約】【課題】農業用、牧畜用等の機械類を田畑や牧場等に出入りさせるための道路に交差して遮蔽するように設置してある連続柵の一部を撤去した場合に、アンカーボルトが突出しない状態で、グレーチングで基礎体を道路面と略同一面に覆うことにより機械類の出入りを円滑かつ安全に行うことが出来、また機械類を痛めない連続柵の立設・撤去構造及び連続柵の立設・撤去方法を提供する。【解決手段】地盤Ｇに埋設して支柱を着脱可能に支持する基礎体２は、地盤Ｇに挿設する支持杭３と、支持杭３の上端に固着した基板４とから構成してある。外縁に土留側枠８を有して基板４上に重畳する底板６には、基板４及び底板６に複数のボルト挿通穴が形成してある。上端が土留側枠８より上方に突出しない長さの支柱接合ボルト１１、１１をボルト挿通穴に下方から挿通し、底板上に突設してある。支柱接合ボルト１１から支柱を離脱させた基礎体２には、地盤Ｇと略同一面を形成するグレーチング１２を嵌合して支承させる。【選択図】図１２
2018204341.tif 000002
【特許請求の範囲】
【請求項１】
所定の間隔で地盤に複数の基礎体を埋設し、隣接する一対の基礎体上に支柱を着脱可能に立設し、隣接する該支柱間に柵を架設することにより前記地盤上に該柵を連続して列設する連続柵の立設・撤去構造であって、前記支柱を着脱可能に支持する基礎体は、前記地盤に挿設する支持杭と、該支持杭の上端にＴ字状に固着した基板と、外縁に土留側枠を有し、該基板上に重畳する底板と、前記基板及び該底板に同軸に形成した複数のボルト挿通穴と、上端が前記土留側枠より上方に突出しない長さからなり、該ボルト挿通穴に下方から挿通して前記底板上に突出する支柱接合ボルトとから構成し、該支柱接合ボルト及びナットにより前記支柱を前記基礎体に締着して立設することで前記柵を架設可能とし、該支柱を離脱させた前記基礎体に前記地盤と同一面を形成するグレーチングを嵌合して該基礎体に支承させる構成にしてある連続柵の立設・撤去構造。
【請求項２】
前記支柱接合ボルトは、前記基板の裏面に設けるボルト固定金具により直立状態に、かつ回動不能に支持してあることを特徴とする請求項１記載の連続柵の立設・撤去構造。
【請求項３】
前記土留側枠に複数の排水孔を形成してある請求項１記載の連続柵の立設・撤去構造。
【請求項４】
所定の間隔で地盤に複数の基礎体を埋設する工程と、隣接する一対の基礎体上に支柱を着脱可能に立設する工程と、隣接する該支柱間に柵を着脱可能に架設することにより、前記地盤上に連続柵を形成する工程とからなる連続柵の立設・撤去方法であって、前記基礎体は、前記地盤に垂直に挿設する支持杭と、該支持杭の上端にＴ字状に固着した基板と、外縁に土留側枠を有し、該基板上に重畳する底板と、前記基板及び該底板に同軸に形成した複数のボルト挿通穴と、上端が前記土留側枠より上方に突出しない長さからなり、該ボルト挿通穴に下方から挿通して前記底板の上方に突出する支柱接合ボルトとから構成し、前記支柱を該基礎体に該支柱接合ボルト及びナットで締着して立設することにより前記柵を連続して架設する工程と、該基礎体から前記支柱を離脱させた後は前記基礎体に前記地盤と同一面を形成するようにグレーチングを嵌合して該基礎体に支承させる工程とからなる連続柵の立設・撤去方法。
【発明の詳細な説明】
【技術分野】
【０００１】
本発明は、例えば、暴風雪柵、牧畜柵等のように支柱間に複数の柵を列設して設置する連続柵の立設・撤去構造及び連続柵の立設・撤去方法に関する。
【背景技術】
【０００２】
例えば、図１３、図１５に示すように、道路Ｒには十字状或いはＴ字状に交差して畑にトラクター、トラック等の農業用機械を出入させるための農道ＡＲが設けてあるが、降雪防風地域では道路Ｒに沿って暴風雪柵５１を設置していることから、夏期には農業用機械を畑に出入りさせるために、暴風雪柵５１のうち農道ＡＲと交差する部分を撤去して農道ＡＲを開放する必要がある。
【０００３】
従来の暴風雪柵５１は、道路Ｒに沿って四角枠体からなるコンクリート製基礎体５２を埋設し、該各コンクリート基礎体５２に４本のアンカーボルト５３を立設し、該アンカーボルト５３に支柱５４を締着して設置し、隣接する支柱５４間に防風雪板５５を横架することにより設置してある。そして、夏期には農道ＡＲを横断している部分の暴風雪柵５１を撤去し、農道ＡＲを開放して通行可能にするため、支柱５４を撤去した基礎体５２に鋼板製の蓋板５６を被せているが、農業用機械の乗り上げによる荷重は基礎体５２により支える蓋板５６で支承するようにしてある。
【０００４】
しかし、従来技術は、コンクリート製の基礎体５２に鋼板製の蓋板５６を被せているだけで、蓋板５６の下方はアンカーボルト５３が起立する空間になっていることから、農業用機械の重量を支承するための強度性を持たせるために基礎体５２をコンクリート製とし、蓋板５６を厚い鋼板製にする必要がある。
このため、コンクリート打ちの作業が必要であり、費用が嵩む、設置工期が長くなるという問題がある。
【先行技術文献】
【特許文献】
【０００５】
【特許文献１】見出せず。
【発明の概要】
【発明が解決しようとする課題】
【０００６】
本発明は従来技術の問題点に鑑みなされたもので、農業用、牧畜用等の機械類を田畑や牧場等に出入りさせるための道路に交差して設置してある連続柵の一部である支柱と柵を撤去した場合に、グレーチングを基礎体で支えることで機械類の重量を支承し、また道路面と略同一面に覆って機械類や人の出入りを円滑かつ安全に行うことが出来るし、コンクリート打ちが無いのでコスト面、工期面からも効率的である連続柵の立設・撤去構造及び連続柵の立設・撤去方法を提供することを目的とする。
【課題を解決するための手段】
【０００７】
上述した課題を解決するための請求項１に係る本発明を構成する手段は、  所定の間隔で地盤に複数の基礎体を埋設し、隣接する一対の基礎体上に支柱を着脱可能に立設し、隣接する該支柱間に柵を架設することにより前記地盤上に該柵を連続して列設する連続柵の立設・撤去構造であって、前記支柱を着脱可能に支持する基礎体は、前記地盤に挿設する支持杭と、該支持杭の上端にＴ字状に固着した基板と、外縁に土留側枠を有し、該基板上に重畳する底板と、前記基板及び該底板に同軸に形成した複数のボルト挿通穴と、上端が前記土留側枠より上方に突出しない長さからなり、該ボルト挿通穴に下方から挿通し、前記底板上に突出する支柱接合ボルトとから構成し、該支柱接合ボルト及びナットにより前記支柱を前記基礎体に締着して立設することで前記柵を架設可能とし、該支柱を離脱させた前記基礎体に前記地盤と同一面を形成するグレーチングを嵌合して該基礎体に支承させるように構成してなる。
【０００８】
そして、前記支柱接合ボルトは、前記基板の裏面に設けるボルト固定金具により直立状態に、かつ回動不能に支持してある。
【０００９】
また、前記土留側枠に複数の排水孔を形成するとよい。
【００１０】
また、請求項４に係る本発明を構成する手段は、所定の間隔で地盤に複数の基礎体を埋設する工程と、隣接する一対の基礎体上に支柱を着脱可能に立設する工程と、隣接する該支柱間に柵を着脱可能に架設することにより、前記地盤上に連続柵を形成する工程とからなる連続柵の立設・撤去方法であって、前記基礎体は、前記地盤に垂直に挿設する支持杭と、該支持杭の上端にＴ字状に固着した基板と、外縁に土留側枠を有し、該基板上に重畳する底板と、前記基板及び該底板に同軸に形成した複数のボルト挿通穴と、上端が前記土留側枠より上方に突出しない長さからなり、該ボルト挿通穴に下方から挿通して前記底板の上方に突出する支柱接合ボルトとから構成し、前記支柱を該基礎体に該支柱接合ボルト及びナットで締着して立設することにより前記柵を連続して架設する工程と、該基礎体から前記支柱を離脱させた後は前記基礎体に前記地盤と同一面を形成するようにグレーチングを嵌合して該基礎体に支承させる工程とからなる。
【発明の効果】
【００１１】
本発明は上述の如く構成したから、下記の諸効果を奏する。
（１）地盤に埋設する基礎体に支柱を着脱可能に立設する支柱接合ボルトは、土留側枠より上方に突出しない長さに設定し、連続柵の撤去後には基礎体に周囲の地面と略同一面を形成するグレーチングを嵌合し、基礎体で支承する構成にしたから、農業用機械の乗り入れの荷重を強固に支えることができる。
（２）基礎体は鋼材で製作して地盤に埋設するもので、コンクリート打ちを必要としないから、コストの面及び工期の面で極めて優れている。
（３）支柱接合ボルトは、基板の裏面に設けたボルト固定金具により直立状態に、かつ回動不能に支持する構成にしたから、支柱接合ボルトの設置及び交換作業が容易で、短時間で交換できる。
（４）土留側枠には複数の排水孔を形成し、雨水が底板上に滞留しない構成にしたから、底板、基板、土留側枠の発錆を可及的に防止することができる。
【図面の簡単な説明】
【００１２】
【図１】図１乃至図１２は本発明の実施の形態に係り、図１は暴風雪柵を撤去した基礎体にグレーチングを嵌着する説明図である。
【図２】基礎体の一部を破断して示す分解斜視図である。
【図３】基礎体にボルト固定金具を取付ける説明図である。
【図４】ボルト固定金具の支持片の平面図である。
【図５】支持片の正面図である。
【図６】支持片に支柱接合ボルトを組付ける説明図である。
【図７】基礎体に支柱接合ボルトを突設した状態の断面図である。
【図８】ボルト固定金具を設けた基礎体の底面図である。
【図９】基礎体に支柱を立設した部分説明図である。
【図１０】グレーチングの平面図である。
【図１１】図１０中のＸＩ−ＸＩ矢示方向断面図である。
【図１２】基礎体にグレーチングを嵌着した状態の縦断面図である。
【図１３】図１３乃至図１５は従来技術に係り、図１３は暴風雪柵により農道を遮断する状態の説明図である。
【図１４】暴風雪柵を構成する支柱の部分斜視図である。
【図１５】道路と農道が交差する場所の従来の状況図である。
【発明を実施するための形態】
【００１３】
以下、本発明の実施の形態を図面に基づき詳述する。なお、本実施の形態において従来技術と同一の構成要素には同一の符号を付して援用し、その説明を省略する。図において、１は道路Ｒに沿って地盤Ｇに立設した連続柵としての暴風雪柵を示し、該暴風雪柵１は基礎体２と、複数本の支柱５４と、該支柱５４、５４間に架設した暴風雪板５５とから構成してある。暴風雪柵１を構成する基礎体２は、道路Ｒに沿って地盤Ｇに所定の間隔で埋設するものである。３は該基礎体２を構成し、地盤Ｇから地中に垂直に挿設する支持杭で、該支持杭３は所望の長さの鋼管からなり、内面３Ａ及び外面３Ｂには防錆処理を施してある。４は該支持杭３の上端に略Ｔ字状に固着した鋼板製の円板からなる基板を示し、該基板４には複数のボルト挿通孔５が穿設してある。そして、基板４は支持杭３と同じ材質によって形成することにより溶接手段で固着してある。
【００１４】
６は前記基板４上に重畳する底板で、該底板６は鋼板により基板４と同径の円板に形成してあり、基板４に形成したボルト挿通孔５と同軸の位置にボルト挿通孔７、７、・・・が穿設してある。８は底板６の外縁６Ａに溶接等の手段により固着した土留側枠を示す。該土留側枠８は鋼板製の縦幅のある帯板を円環状に形成したもので、底板６を囲繞するように固着してあり、後述するグレーチング１２が嵌着される。
【００１５】
そして、土留側枠８には、周方向に離間して複数の排水孔８Ａ、８Ａ、・・・が形成してある。該各排水孔８Ａは縦長の楕円状に形成したものからなり、底板６の上面６Ｂ側と基板４の下面４Ａ側に開口させることで、雨水が底板６上に滞留しないようにしてある。そして、土留側枠８を基板４に嵌合して底板６を基板４の上に重畳することにより、土留側枠８は基板４と底板６を囲繞して土砂等の侵入を防止し、またグレーチング１２を嵌着する構成にしてある。
【００１６】
図４乃至図６は、後述する支柱接合ボルト１１を回動不能の状態で下側から支持する鋼板製の一対のボルト固定金具９、９を示す。該各ボルト固定金具９は平担な帯状板からなり、両端側が略直角方向に突出する屈曲部９Ａ１、９Ａ１になった扁平Ｕ字状の支持片９Ａと、該支持片９Ａの中間に形成した固定用ボルト孔９Ｂと、前記屈曲部９Ａ１、９Ａ１の先端側に略Ｕ字状に形成したボルト嵌合孔９Ｃ、９Ｃと、該各ボルト嵌合孔９Ｃの位置に対応して屈曲部９Ａ１の下面に固着した正面視略凵字状のボルト固定部９Ｄとから構成してある。
【００１７】
上述したボルト固定金具９は、ボルト固定部９Ｄにボルト頭部１１Ａを前方から嵌合し、ボルト本体１１Ｂをボルト嵌合孔９Ｃに挿嵌して支柱接合ボルト１１、１１を立設した状態にする。立設した支柱接合ボルト１１、１１は下方からボルト挿通孔５、７に挿通して底板６の上方に突出させ、ボルト固定金具９を取付ボルト・ナット１０で基板４と底板６に締着することにより、支柱接合ボルト１１、１１は下側から垂直状態に支えられ、かつ回動不能に起立している。
【００１８】
本実施の形態において、上述の構成からなる基礎体２は、道路Ｒに沿って所定間隔で地盤Ｇに設置穴Ｈを掘削して埋設し、周囲を埋め戻した後、各基礎体２に支柱５４を支柱接合ボルト１１とナットで締着して立設する。冬期には隣接する支柱５４、５４間に防風雪板５５を架設し、図１３に示すように従来技術の暴風雪柵５１と同様に設置する。
【００１９】
他方、夏期には、農道ＡＲと交差する暴風雪柵１は、支柱５４、５４から防風雪板５５を撤去し、支柱５４を基礎体２から撤去した後、基礎体２に上方からグレーチング１２を嵌着する。
【００２０】
１２は、上述のように、夏期に支柱５４を撤去した基礎体２に着脱可能に嵌着することにより、基礎体１を覆うグレーチングを示す。該グレーチング１２は、図１０及び図１１に示すように、円環状の外枠１２Ａと、該外枠１２Ａ内に図中横方向に配列固着した複数本のツイストバー１２Ｂ、１２Ｂ、・・・と、該各ツイストバー１２Ｂに交差して縦方向に配列固着した複数本のペアリングバー１２Ｃ、１２Ｃ、・・・と、前記支柱接合ボルト１１の位置に対応してツイストバー１２Ｂ及びペアリングバー１２Ｃに固着することにより四方に離間して配設した４個のボルト締着部１２Ｄ、１２Ｄ、・・とから構成してある。
【００２１】
ここで、該各ボルト締着部１２Ｄは、一対の塞ぎ板１２Ｄ１、１２Ｄ１及び該一対の塞ぎ板１２Ｄ１、１２Ｄ１の下端に設けた固定ピース１２Ｄ２とから略凵字状に形成してあり、該固定ピース１２Ｄ２の中央に支柱接合ボルト１１を挿通する固定用孔１２Ｄ３が形成してある。
【００２２】
本実施の形態は上述の構成からなり、畑に農業用機械を乗り入れない冬期は暴風雪柵１を道路Ｒに沿って設置し、農業用機械を畑に乗り入れる夏期には道路Ｒに交差する農道ＡＲを開放するために、道路Ｒの交差地点に位置する暴風雪柵１の一部を撤去する。そして、本実施の形態では、農道ＡＲに位置する支柱５４及び防風雪板５５を撤去し、基礎体２にグレーチング１２を嵌着する。グレーチング１２は４個のボルト締着部１２Ｄ、１２Ｄを支柱接合ボルト１１に基礎体２をナットで締着してあり、農業用機械が乗り入れた場合の重量はグレーチング１２から基礎体２に伝えて支承する構成にしてあるので、強度性に優れているし、グレーチング１２は基礎体２にボルト・ナットで締着して基礎体２から浮上ることが無い構成にしてあるから安全性に優れている。
また、グレーチング１２は道路Ｒと略同一の面を形成するから、農業用機械や作業員は安全かつ円滑に出入りすることができる。
【００２３】
なお、本実施の形態では、連続柵として暴風雪柵１を例に挙げたが、本発明は、牧場用連続柵、有害動物の侵入防止柵、その他道路や交通路と交差する種々の連続柵を部分的に撤去して通行を可能にする場合に用いることができるものである。
【符号の説明】
【００２４】
１      暴風雪柵
２      基礎体
３      支持杭
４      基板
５、７    ボルト挿通孔
６      底板
８      土留側枠
８Ａ    排水孔
９      ボルト固定金具
１１    支柱接合ボルト
１２    グレーチング
【図１】
2018204341.tif 000003
【図２】
2018204341.tif 000004
【図３】
2018204341.tif 000005
【図４】
2018204341.tif 000006
【図５】
2018204341.tif 000007
【図６】
2018204341.tif 000008
【図７】
2018204341.tif 000009
【図８】
2018204341.tif 000010
【図９】
2018204341.tif 000011
【図１０】
2018204341.tif 000012
【図１１】
2018204341.tif 000013
【図１２】
2018204341.tif 000014
【図１３】
2018204341.tif 000015
【図１４】
2018204341.tif 000016
【図１５】
2018204341.tif 000017